(57)【要約】【課題】  デジタルカメラからパソコン等の外部画像記録装置にまだ転送していない画像がデジタルカメラ内にあるか否かを報知する、クレードルによる未転送画像報知方法、クレードル、撮像装置、及びプログラムの提供。【解決手段】  ユーザがクレードル１にデジタルカメラ１００を装着すると、クレードル１は保持している画像識別情報とデジタルカメラ１００に記憶されている画像の画像識別情報の差異の有無を調べ、差異がある場合は未転送画像ありと判定する。デジタルカメラ１００はクレードル１から未転送画像ありの旨の信号を受信すると、未転送画像がある旨の表示を行う。【選択図】  図３
2005051682.tif 000002
【特許請求の範囲】
【請求項１】
装着された撮像装置から外部画像記録装置へデータを転送するデータ転送機能を備えたクレードルの未転送画像報知方法において、
撮像装置の装着を検出したとき、該クレードルに記憶されている転送済み画像情報と前記撮像装置に記録されている画像の画像情報を比較して未転送画像情報を抽出し、抽出した未転送画像情報を前記撮像装置に送信し、送信した未転送画像情報に基づいて該撮像装置に未転送画像の存在を報知させること、を特徴とする未転送画像報知方法。
【請求項２】
装着された撮像装置から外部画像記録装置へデータを転送するデータ転送機能を備えたクレードルの未転送画像報知方法において、
撮像装置の装着を検出したとき、前記クレードルに記憶されている転送済み画像情報と前記撮像装置に記録されている画像の画像情報を比較して未転送画像情報を抽出し、抽出した未転送画像情報に基づいて未転送画像の存在を報知すること、を特徴とする未転送画像報知方法。
【請求項３】
前記クレードルによる未転送画像の存在報知は、メッセージ出力によって行われることを特徴とする請求項２記載の未転送画像報知方法。
【請求項４】
前記クレードルによる未転送画像の存在報知は、メッセージ表示又は前記撮像装置に送信した未転送画像情報に基づいて該撮像装置から受信した未転送画像の表示によって行われることを特徴とする請求項２記載の未転送画像報知方法。
【請求項５】
前記抽出した未転送画像情報に基づいて前記外部画像記録装置に転送する画像を選択することを特徴とする請求項１又は２記載の未転送画像報知方法。
【請求項６】
前記クレードルに記憶されている転送済み画像情報は、前記クレードルが前記外部画像記録装置に接続されたとき、該外部画像記録装置に保存されている画像の画像情報によって更新されること、を特徴とする請求項１乃至５のいずれか１項に記載の未転送画像報知方法。
【請求項７】
撮像装置から外部画像記録装置へデータを転送するデータ転送機能を備えたクレードルに装着された撮像装置において、
前記クレードルへの自装置の装着を検出する手段と、前記クレードルへの自装置の装着を検出したとき、自装置に記憶されている転送済み画像情報と記録画像の画像情報を比較して未転送画像情報を抽出する手段と、抽出した未転送画像情報に基づいて自装置で未転送画像の存在を報知する手段と、を備えたことを特徴とする撮像装置。
【請求項８】
撮像装置の電源充電機能及び撮像装置から外部画像記録装置へデータを転送するデータ転送機能を備えたクレードルに装着された撮像装置において、
自装置への充電用電源の供給を検出する手段と、自装置への充電用電源の供給を検出したとき、自装置に記憶されている転送済み画像情報と記録画像の画像情報を比較して未転送画像情報を抽出する手段と、抽出した未転送画像情報に基づいて自装置で未転送画像の存在を報知する手段とを備えたことを特徴とする撮像装置。
【請求項９】
外部画像記録装置とＵＳＢ接続可能な撮像装置において、
前記外部画像記録装置とのＵＳＢ接続を検出する手段と、前記外部画像記録装置とのＵＳＢ接続を検出したとき、自装置に記憶されている転送済み画像情報と記録画像の画像情報を比較して未転送画像情報を抽出する手段と、抽出した未転送画像情報に基づいて自装置で未転送画像の存在を報知する手段とを備えたことを特徴とする撮像装置。
【請求項１０】
撮像装置を装着する装着部と、前記装着部に装着された撮像装置から外部画像記録装置へデータを転送するデータ転送手段を備えたクレードルであって、
前記データ転送手段により前記撮像装置の記録画像を前記外部画像記録装置に転送した際、転送済み画像の画像情報を取得してメモリに保存記憶する画像情報保存手段と、
前記撮像装置の前記装着部への装着を検出する装着検出手段と、
前記装着検出手段により前記撮像装置の前記装着部への装着が検出されたとき、前記撮像装置に記録されている画像の画像情報を取得する画像情報取得手段と、
前記メモリに記憶されている全画像情報と前記画像情報取得手段によって取得された全画像情報との比較に基づいて未転送画像情報を抽出する未転送画像情報抽出手段と、
前記未転送画像情報抽出手段によって抽出された未転送画像情報を前記撮像装置に送信する未転送画像情報送信手段と、
を備え、
前記撮像装置によって存在報知された未転送画像及びその画像情報を前記データ転送手段によって前記外部画像記録装置に転送することを特徴とするクレードル。
【請求項１１】
撮像装置を装着する装着部と、前記装着部に装着された撮像装置から外部画像記録装置へデータを転送するデータ転送手段を備えたクレードルであって、
前記データ転送手段により前記撮像装置の記録画像を前記外部画像記録装置に転送した際、転送済み画像の画像情報を取得してメモリに保存記憶する画像情報保存手段と、
前記撮像装置の前記装着部への装着を検出する装着検出手段と、
前記装着検出手段により前記撮像装置の前記装着部への装着が検出されたとき、前記撮像装置に記録されている画像の画像情報を取得する画像情報取得手段と、
前記メモリに記憶されている全画像情報と前記画像情報取得手段によって取得された全画像情報との比較に基づいて未転送画像情報を抽出する未転送画像抽出手段と、
前記転送画像抽出手段によって抽出された未転送画像情報を基に未転送画像の存在を報知する報知手段と、
前記報知手段によって存在報知された未転送画像及びその画像情報を前記撮像装置から取得する未転送画像取得手段と、
を備え、前記未転送画像取得手段によって取得された未転送画像及びその画像情報を前記データ転送手段によって前記外部画像記録装置に転送することを特徴とするクレードル。
【請求項１２】
前記画像情報は撮像装置の識別情報別に前記メモリに記憶され、
前記装着検出手段は、装着された撮像装置の識別情報を検出する手段を含み、
前記未転送画像抽出手段は、前記メモリに記憶されている全画像情報のうち、装着された撮像装置の識別情報と前記画像情報取得手段によって取得された全画像情報との比較に基づいて未転送画像情報を抽出することを特徴とする請求項１０又は１１記載のクレードル。
【請求項１３】
前記報知手段は、画像の存在を報知するメッセージを出力可能な装置であることを特徴とする請求項１１記載のクレードル。
【請求項１４】
前記報知手段は、画像存在情報及び画像を表示可能な表示装置であることを特徴とする請求項１１記載のクレードル。
【請求項１５】
前記抽出した未転送画像情報に基づいて前記外部画像記録装置に転送する画像を選択する転送画像選択手段を備えたことを特徴とする請求項１０又は１１記載のクレードル。
【請求項１６】
前記クレードルと前記外部画像記録装置の接続を検出する接続検出手段と、該外部画像記録装置に保存されている画像の画像情報を取得する保存画像情報取得手段と、前記クレードルに記憶されている転送済み画像の画像情報を前記保存画像情報取得手段によって取得された画像情報で更新する画像情報更新手段と、を備えたことを特徴とする請求項１０乃至１５のいずれか１項に記載のクレードル。
【請求項１７】
装着された撮像装置から外部画像記録装置へデータを転送するデータ転送機能を備えたクレードルにおいて実行可能なプログラムであって、
撮像装置の装着を検出させるプログラムステップと、前記撮像装置の装着が検出されたとき、前記クレードルに記憶されている転送済み画像情報と前記撮像装置に記録されている画像の画像情報を比較させるプログラムステップと、前記比較結果に基づき未転送画像情報を抽出させるプログラムステップと、抽出された未転送画像情報に基づいて撮像装置に未転送画像情報を送信させるプログラムステップと、を備えたことを特徴とするプログラム。
【請求項１８】
装着された撮像装置から外部画像記録装置へデータを転送するデータ転送機能を備えたクレードルにおいて実行可能なプログラムであって、
撮像装置の装着を検出させるプログラムステップと、前記撮像装置の装着が検出されたとき、前記クレードルに記憶されている転送済み画像情報と前記撮像装置に記録されている画像の画像情報を比較させるプログラムステップと、前記比較結果に基づいて未転送画像情報を抽出するプログラムステップと、抽出された未転送画像情報に基づいて未転送画像の存在を報知させるプログラムステップと、を備えたことを特徴とするプログラム。
【請求項１９】
装着された撮像装置から外部画像記録装置へデータを転送するデータ転送機能を備えたクレードルに装着された撮像装置において実行可能なプログラムであって、
撮像装置のクレードルへの装着を検出させるプログラムステップと、前記撮像装置のクレードルへの装着が検出されたとき、自装置に記憶されている転送済み画像情報と記録画像の画像情報を比較させるプログラムステップと、前記比較結果に基づいて未転送画像情報を抽出させるプログラムステップと、抽出された未転送画像情報に基づいて未転送画像の存在を報知させるプログラムステップと、を備えたことを特徴とするプログラム。
【請求項２０】
装着された撮像装置の電源充電機能及び装着された撮像装置から外部画像記録装置へデータを転送するデータ転送機能を備えたクレードルに装着された撮像装置において実行可能なプログラムであって、
撮像装置への充電用電源の供給開始を検出させるプログラムステップと、充電用電源の供給開始が検出されたとき、自装置に記憶されている転送済み画像情報と記録画像の画像情報を比較させるプログラムステップと、前記比較結果に基づいて未転送画像情報を抽出させるプログラムステップと、抽出された未転送画像情報に基づいて未転送画像の存在を報知させるプログラムステップと、を備えたことを特徴とするプログラム。
【請求項２１】
外部画像記録装置とＵＳＢ接続可能な撮像装置において実行可能なプログラムであって、
外部画像記録装置とのＵＳＢ接続を検出させるプログラムステップと、前記外部画像記録装置とのＵＳＢ接続が検出されたとき、自装置に記憶されている転送済み画像情報と記録画像の画像情報とを比較させるプログラムステップと、前記比較結果に基づいて未転送画像情報を抽出させるプログラムステップと、抽出された未転送画像情報に基づいて未転送画像の存在を報知させるプログラムステップと、を備えたことを特徴とするプログラム。
【請求項２２】
装着された撮像装置から外部画像記録装置へデータを転送するデータ転送機能を備えたクレードルにおいて実行可能なプログラムであって、
外部画像記録装置の接続を検出させるプログラムステップと、前記外部画像記録装置との接続が検出されたとき、該外部画像記録装置に保存されている画像の画像情報を取得させるプログラムステップと、クレードルに記憶されている転送済み画像の画像情報を前記外部画像記録装置から取得された画像情報で更新させるプログラムステップと、を備えたことを特徴とするプログラム。
【請求項２３】
デジタルカメラとパーソナルコンピュータを接続し、前記デジタルカメラ内の画像データを前記パーソナルコンピュータに転送するクレードルであって、
該クレードル内に、前記転送した画像データのファイル名を保存する手段を備えたことを特徴とするクレードル。
【請求項２４】
更に、前記保存したファイル名と前記デジタルカメラ内に記憶されている画像データのファイル名を比較する手段を備えたことを特徴とする請求項２３記載のクレードル。
【請求項２５】
更に、前記保存したファイル名と前記パーソナルコンピュータ内に記憶されている画像データのファイル名を比較する手段を備えたことを特徴とする請求項２３記載のクレードル。
【請求項２６】
更に、前記デジタルカメラの機種識別情報を保存する手段と、前記画像転送時に、前記保存した機種識別情報と接続されたデジタルカメラの機種情報を比較する手段を備えたことを特徴とする請求項２３記載のクレードル。
【請求項２７】
デジタルカメラとパーソナルコンピュータを接続し、前記デジタルカメラ内の画像データを前記パーソナルコンピュータに転送するクレードルであって、
該クレードル内に、前記転送した画像データのファイル情報を保存する手段を備えたことを特徴とするクレードル。
【請求項２８】
更に、前記保存したファイル情報と前記デジタルカメラ内に記憶されている画像データのファイル情報を比較する手段を備えたことを特徴とする請求項２７記載のクレードル。
【請求項２９】
更に、前記保存したファイル情報と前記パーソナルコンピュータ内に記憶されている画像データのファイル情報を比較する手段を備えたことを特徴とする請求項２７記載のクレードル。
【請求項３０】
更に、前記デジタルカメラの機種識別情報を保存する手段と、前記画像転送時に、前記保存した機種識別情報と接続されたデジタルカメラの機種情報を比較する手段を備えたことを特徴とする請求項２７記載のクレードル。
【請求項３１】
デジタルカメラとパーソナルコンピュータを接続し、前記デジタルカメラ内の画像データを前記パーソナルコンピュータに転送するクレードルであって、
該クレードル内に、前記転送した画像データのサムネイルを保存する手段を備えたことを特徴とするクレードル。
【請求項３２】
デジタルカメラとパーソナルコンピュータを接続し、前記デジタルカメラ内の画像データを前記パーソナルコンピュータに転送するクレードルであって、
該クレードル内に、前記転送した画像データの転送履歴を保存する手段を備えたことを特徴とするクレードル。
【請求項３３】
更に、前記デジタルカメラ内の画像データを前記パーソナルコンピュータに転送する際に、前記保存されている転送履歴を参照する手段を備えたことを特徴とする請求項３２記載のクレードル。
【発明の詳細な説明】
【技術分野】
【０００１】
本発明は、撮像装置で撮影した画像をクレードルを介して外部画像処理装置に転送する際の未転送画像報知技術に関する。
【背景技術】
【０００２】
デジタルカメラをパーソナルコンピュータ（パソコン）に接続するために、デジタルカメラを装着し、デジタルカメラに充電を行うとともにＵＳＢケーブルなどでパソコンに接続して、デジタルカメラ内に記憶されている画像をパソコンに転送する一種の中継器としてのクレードルが知られている（例えば、特許文献１参照）。
【０００３】
また、デジタルカメラ等の携帯機器とクレードルを一体型ステーションシステムとし、 クレードルの前面に、クレードルの電源をオンオフするための電源スイッチとモード設定スイッチを配設し、モード設定スイッチは少なくとも、充電モードスイッチ、外部機器接続モードスイッチ、監視カメラモードスイッチ、自動撮影カメラモードスイッチを含み、また、各モード設定スイッチは電源オンスイッチも兼ねるように構成し、クレードルに装着されたデジタルカメラのモードをクレードルで設定できるようにしたものがある（例えば、特許文献２参照）。
【０００４】
また、クレードル装置を介してデジタルカメラのバッテリー充電と共にビデオ信号を送信、及び情報信号の送受信を同一のコネクタで行い、且つ制御プログラムの書き換えを行うよう構成したクレードル装置がある（例えば、特許文献３参照）。
【０００５】
また、撮像や画像の転送及び再生等の操作を簡素なものとすることが可能なクレードルシステムとして、被写体像を撮像して画像を取得する撮像手段と、撮像した画像をクレードルに送信する送受信手段とを備えた電子カメラと、電子カメラを装着する装着部と、電子カメラが装着されたことを検出するカメラ検出手段と、カメラ検出手段が電子カメラが装着されたことを検出すると自動で電子カメラから画像を受信する送受信手段と、電子カメラから受信した画像を記録媒体に記録する手段とを備えたクレードルとから構成するようにしたものがある（例えば、特許文献４参照）。なお、特許文献４に開示のクレードルシステムでは、電子カメラにおいて、撮像した画像を記録する記録手段を備え、前記記録手段に記録されている画像をクレードルに送信して画像の送信が終了すると、記録手段に記録されている転送済みの画像を消去するように構成されている。
【０００６】
【特許文献１】特開２０００−２３２５９９号公報
【０００７】
【特許文献２】特開２００３−７５９０７号公報
【特許文献３】特開２００３−１１０８９９号公報
【特許文献４】特開２００３−１６９２４３号公報
【発明の開示】
【発明が解決しようとする課題】
【０００８】
上述したように、クレードルはデジタルカメラ等を装着することにより、デジタルカメラ内部の画像記録部に記録されている画像データをパソコン内部の記憶部に転送し、パソコン側では受信した画像を記憶部に記憶して保存することができる。ここで、デジタルカメラからパソコンに画像を送信する際、パソコンに送信していない画像のみを送信できれば効率的である。
【０００９】
しかしながら、上記特許文献１に記載のクレードルアッセンブリは一種の中継機として機能するだけであるから、送信済画像／未転送画像の区別なしに所望の画像を送信し、パソコン側で転送済み画像を受信した際は上書きするか、書き込みをスキップする必要があるという課題があった。
【００１０】
また、上記特許文献２に記載の一体型ステーションシステムでは、クレードル側で撮影モード等のデジタルカメラの動作モードを設定できるが、デジタルカメラからパソコン側に画像を送信する際には単に中継機能を果たしているだけであり、特許文献１の場合と同様の課題があった。
【００１１】
また、上記特許文献３に記載のクレードル装置では、充電時にデータの転送が行えるのでクレードルを小型化してユーザの利便性を高めることはできるが、デジタルカメラからパソコン側に画像を送信する際には単に中継機能を果たしているだけであり、特許文献１の場合と同様の課題があった。
【００１２】
また、上記特許文献４に記載のクレードル及びクレードルシステムでは、画像の送信が終了すると、記録手段に記録されている転送済みの画像を消去することができるので、常に未転送の画像をパソコンに送信することができる。しかしながら、デジタルカメラで撮像した画像を常に同じパソコンに転送する場合には一度送信した画像をデジタルカメラ側で消去してしまってもよいが、他のパソコンに転送しようとする場合やパソコン側で誤って消去してしまい、再転送が必要な場合などにデジタルカメラ側でも画像が消去されているので転送ができないといった課題があった。
【００１３】
本発明は上記課題を解決するためになされたものであり、パソコン等の外部画像記録装置に転送していない画像がカメラ側にあるか否かを報知する、未転送画像報知方法、クレードル、撮像装置、及びプログラムの提供を目的とする。
【課題を解決するための手段】
【００１４】
上記課題を解決するために、請求項１に記載の発明では、装着された撮像装置から外部画像記録装置へデータを転送するデータ転送機能を備えたクレードルにおいて、撮像装置の装着を検出したとき、該クレードルに記憶されている転送済み画像情報と撮像装置に記録されている画像の画像情報を比較して未転送画像情報を抽出し、抽出した未転送画像情報を撮像装置に送信し、送信した未転送画像情報に基づいて該撮像装置に未転送画像の存在を報知させること、を特徴とする未転送画像報知方法を提供する。  
これにより、クレードルに撮像装置を装着するとデジタルカメラ等の撮像装置側で未転送画像情報の存在を報知できるので、ユーザは撮像装置を操作して未転送画像をクレードルを介してパソコン等の外部画像記録装置に転送できる。従って、バックアップ等のし忘れを防止できる。また、未転送画像のみをクレードルを介して外部装置に転送できるので、転送効率が向上し、無駄な画像選択や無駄な画像転送によるデジタルカメラの電源消耗を防止できる。
【００１５】
また、請求項２に記載の発明では、装着された撮像装置から外部画像記録装置へデータを転送するデータ転送機能を備えたクレードルにおいて、撮像装置の装着を検出したとき、クレードルに記憶されている転送済み画像情報と撮像装置に記録されている画像の画像情報を比較して未転送画像情報を抽出し、抽出した未転送画像情報に基づいて未転送画像の存在を報知すること、を特徴とする未転送画像報知方法を提供する。  
これにより、クレードルに撮像装置を装着するとクレードル側で未転送画像情報の存在を報知できるので、ユーザは撮像装置を操作して未転送画像をクレードルを介してパソコン等の外部画像記録装置に転送できる。従って、バックアップ等のし忘れを防止できる。また、未転送画像のみをクレードルを介して外部装置に転送できるので、転送効率が向上し、無駄な画像選択や無駄な画像転送によるデジタルカメラの電源消耗を防止できる。
【００１６】
また、請求項３に記載の発明では、クレードルによる未転送画像の存在報知は、メッセージ出力によって行われることを特徴とする請求項２記載の未転送画像報知方法を提供する。  
これにより、撮像装置が装着されると、クレードル側に設けられたメッセージ出力装置により、文字、音声のメッセージにより未転送画像の存否を報知できるので、ユーザは未転送画像の存在を簡単に知ることができる。また、撮像装置側では未転送画像の存在報知をしなくてすむので電池の消耗を抑制できる。
【００１７】
また、請求項４に記載の発明では、クレードルによる未転送画像の存在報知は、メッセージ表示又は撮像装置に送信した未転送画像情報に基づいて該撮像装置から受信した未転送画像の表示によって行われることを特徴とする請求項２記載の未転送画像報知方法を提供する。  
これにより、撮像装置が装着されると、クレードル側に設けられた表示装置により、画像情報表示や画像表示により未転送画像の存否を報知できるので、ユーザは未転送画像の存在及びその未転送画像が転送を要するものか否かを簡単に知ることができる。また、撮像装置側ではそれらを表示しなくてすむので電池の消耗を抑制できる。
【００１８】
また、請求項５に記載の発明では、抽出した未転送画像情報に基づいて外部画像記録装置に転送する画像を選択することを特徴とする請求項１又は２記載の未転送画像報知方法を提供する。これにより、ユーザは未転送画像のうち所望の画像のみを外部画像記録装置に転送することができる。
【００１９】
また、請求項６に記載の発明では、クレードルに記憶されている転送済み画像情報は、クレードルが外部画像記録装置に接続されたとき、該外部画像記録装置に保存されている画像の画像情報によって更新されること、を特徴とする請求項１乃至５のいずれか１項に記載の未転送画像報知方法を提供する。これにより、パソコン等の外部画像記録装置側で誤って画像を消去してしまったような場合でも、撮像装置をクレードルに装着すれば自動的に画像が転送されるので、撮像装置を操作して消去された画像を探し出して再度転送するといった手間が省ける。
【００２０】
また、請求項７に記載の発明では、撮像装置から外部画像記録装置へデータを転送するデータ転送機能を備えたクレードルに装着された撮像装置において、クレードルへの自装置の装着を検出する手段と、クレードルへの自装置の装着を検出したとき、自装置に記憶されている転送済み画像情報と記録画像の画像情報を比較して未転送画像情報を抽出する手段と、抽出した未転未転送画像情報に基づいて自装置で未転送画像の存在を報知する手段と、を備えたことを特徴とする撮像装置を提供する。これにより、撮像装置側だけで未転送画像を検出できるのでクレードル側の機能はデータ転送機能を備えていれば済む。
【００２１】
また、請求項８に記載の発明では、撮像装置の電源充電機能及び撮像装置から外部画像記録装置へデータを転送するデータ転送機能を備えたクレードルに装着された撮像装置において、自装置への充電用電源の供給を検出する手段と、自装置への充電用電源の供給を検出したとき、自装置に記憶されている転送済み画像情報と記録画像の画像情報を比較して未転送画像情報を抽出する手段と、抽出した未転送画像情報に基づいて自装置で未転送画像の存在を報知する手段とを備えたことを特徴とする撮像装置を提供する。  
これにより、未転送画像の存在を調べるためにわざわざ撮像装置をクレードルに装着しなくても充電時に未転送画像の存在を知ることができる。また、充電しながら未転送画像の転送を行うこともできる。
【００２２】
また、請求項９に記載の発明では、外部画像記録装置とＵＳＢ接続可能な撮像装置において、外部画像記録装置とのＵＳＢ接続を検出する手段と、外部画像記録装置とのＵＳＢ接続を検出したとき、自装置に記憶されている転送済み画像情報と記録画像の画像情報を比較して未転送画像情報を抽出する手段と、抽出した未転送画像情報に基づいて自装置で未転送画像の存在を報知する手段とを備えたことを特徴とする撮像装置を提供する。これにより、ＵＳＢ接続可能であれば、クレードルに装着しなくても未転送画像の存在を知ることができる。
【００２３】
また、請求項１０に記載の発明では、撮像装置を装着する装着部と、装着部に装着された撮像装置から外部画像記録装置へデータを転送するデータ転送手段を備えたクレードルであって、データ転送手段により撮像装置の記録画像を外部画像記録装置に転送した際、転送済み画像の画像情報を取得してメモリに保存記憶する画像情報保存手段と、撮像装置の装着部への装着を検出する装着検出手段と、装着検出手段により撮像装置の装着部への装着が検出されたとき、撮像装置に記録されている画像の画像情報を取得する画像情報取得手段と、メモリに記憶されている全画像情報と画像情報取得手段によって取得された全画像情報との比較に基づいて未転送画像情報を抽出する未転送画像情報抽出手段と、未転送画像情報抽出手段によって抽出された未転送画像情報を撮像装置に送信する未転送画像情報送信手段と、を備え、撮像装置によって存在報知された未転送画像及びその画像情報をデータ転送手段によって外部画像記録装置に転送することを特徴とするクレードルを提供する。  
これにより、請求項１に記載の発明と同様、クレードルに撮像装置を装着するとデジタルカメラ等の撮像装置側で未転送画像情報の存在を報知できるので、ユーザは撮像装置を操作して未転送画像をクレードルを介してパソコン等の外部画像記録装置に転送できる。従って、バックアップ等のし忘れを防止できる。また、未転送画像のみをクレードルを介して外部装置に転送できるので、転送効率が向上し、無駄な画像選択や無駄な画像転送によるデジタルカメラの電源消耗を防止できる。
【００２４】
また、請求項１１に記載の発明では、撮像装置を装着する装着部と、装着部に装着された撮像装置から外部画像記録装置へデータを転送するデータ転送手段を備えたクレードルであって、データ転送手段により撮像装置の記録画像を外部画像記録装置に転送した際、転送済み画像の画像情報を取得してメモリに保存記憶する画像情報保存手段と、撮像装置の装着部への装着を検出する装着検出手段と、装着検出手段により撮像装置の装着部への装着が検出されたとき、撮像装置に記録されている画像の画像情報を取得する画像情報取得手段と、メモリに記憶されている全画像情報と画像情報取得手段によって取得された全画像情報との比較に基づいて未転送画像情報を抽出する未転送画像抽出手段と、転送画像抽出手段によって抽出された未転送画像情報を基に未転送画像の存在を報知する報知手段と、報知手段によって存在報知された未転送画像及びその画像情報を撮像装置から取得する未転送画像取得手段と、を備え、未転送画像取得手段によって取得された未転送画像及びその画像情報をデータ転送手段によって外部画像記録装置に転送することを特徴とするクレードルを提供する。  
これにより、請求項１０に記載の発明と同様の効果のほか、クレードル側で未転送画像の報知を行うので、ユーザが気付きやすく、また、撮像装置側の電池の消耗を更に抑制できる。
【００２５】
また、請求項１２に記載の発明では、画像情報は撮像装置の識別情報別にメモリに記憶され、装着検出手段は、装着された撮像装置の識別情報を検出する手段を含み、未転送画像抽出手段は、メモリに記憶されている全画像情報のうち、装着された撮像装置の識別情報と画像情報取得手段によって取得された全画像情報との比較に基づいて未転送画像情報を抽出することを特徴とする請求項１０又は１１記載のクレードルを提供する。  
これにより、記憶している画像情報管理データと装着されたデジタルカメラの画像情報を比較することにより、当該デジタルカメラの未転送情報のみを抽出するように構成することができるので、例えば、各デジタルカメラで撮影した種々の分野（建物、風景、人物等）の画像を撮影分野別に備えられた複数のパソコンに分野別に転送することができる。
【００２６】
また、請求項１３に記載の発明では、報知手段は、画像の存在を報知するメッセージを出力可能な装置であることを特徴とする請求項１１記載のクレードルを提供する。これにより、請求項３に記載の発明と同様、ユーザは未転送画像の存在を簡単に知ることができる。また、撮像装置側では未転送画像の存在報知をしなくてすむので電池の消耗を抑制できる。
【００２７】
また、請求項１４に記載の発明では、報知手段は、画像存在情報及び画像を表示可能な表示装置であることを特徴とする請求項１１記載のクレードルを提供する。これにより、請求項４に記載の発明と同様、ユーザは未転送画像の存在及びその未転送画像が転送を要するものか否かを簡単に知ることができる。また、撮像装置側ではそれらを表示しなくてすむので電池の消耗を抑制できる。
【００２８】
また、請求項１５に記載の発明では、抽出した未転送画像情報に基づいて外部画像記録装置に転送する画像を選択する転送画像選択手段を備えたことを特徴とする請求項１０又は１１記載のクレードルを提供する。これにより、ユーザは所望の未転送画像のみを外部画像記録装置に転送できる。
【００２９】
また、請求項１６に記載の発明では、クレードルと外部画像記録装置の接続を検出する接続検出手段と、該外部画像記録装置に保存されている画像の画像情報を取得する保存画像情報取得手段と、クレードルに記憶されている転送済み画像の画像情報を保存画像情報取得手段によって取得された画像情報で更新する画像情報更新手段と、を備えたことを特徴とする請求項１０乃至１５のいずれか１項に記載のクレードルを提供する。  
これにより、請求項６に記載の発明と同様、外部画像記録装置側で誤って画像を消去してしまったような場合でも、撮像装置をクレードルに装着すれば自動的に画像が転送されるので、撮像装置を操作して消失した画像を探し出して転送しなくても済む。
【００３０】
また、請求項１７に記載の発明では、装着された撮像装置から外部画像記録装置へデータを転送するデータ転送機能を備えたクレードルにおいて実行可能なプログラムであって、撮像装置の装着を検出させるプログラムステップと、撮像装置の装着が検出されたとき、クレードルに記憶されている転送済み画像情報と撮像装置に記録されている画像の画像情報を比較させるプログラムステップと、比較結果に基づき未転送画像情報を抽出させるプログラムステップと、抽出された未転送画像情報に基づいて撮像装置に未転送画像情報を送信させるプログラムステップと、を備えたことを特徴とするプログラムを提供する。
【００３１】
これにより、クレードルは、撮像装置が装着されると撮像装置側に未転送画像情報を送信するよう動作するので、ユーザは撮像装置を操作して未転送画像をクレードルを介してパソコン等の外部画像記録装置に転送できる。
【００３２】
また、請求項１８に記載の発明では、装着された撮像装置から外部画像記録装置へデータを転送するデータ転送機能を備えたクレードルにおいて実行可能なプログラムであって、撮像装置の装着を検出させるプログラムステップと、撮像装置の装着が検出されたとき、クレードルに記憶されている転送済み画像情報と撮像装置に記録されている画像の画像情報を比較させるプログラムステップと、比較結果に基づいて未転送画像情報を抽出するプログラムステップと、抽出された未転送画像情報に基づいて未転送画像の存在を報知させるプログラムステップと、を備えたことを特徴とするプログラムを提供する。  
これにより、クレードルは、撮像装置を装着するとクレードル側で未転送画像情報の存在を報知するよう動作するので、ユーザは撮像装置を操作して未転送画像をクレードルを介してパソコン等の外部画像記録装置に転送できる。
【００３３】
また、請求項１９に記載の発明では、装着された撮像装置から外部画像記録装置へデータを転送するデータ転送機能を備えたクレードルに装着された撮像装置において実行可能なプログラムであって、撮像装置のクレードルへの装着を検出させるプログラムステップと、撮像装置のクレードルへの装着が検出されたとき、自装置に記憶されている転送済み画像情報と記録画像の画像情報を比較させるプログラムステップと、比較結果に基づいて未転送画像情報を抽出させるプログラムステップと、抽出された未転送画像情報に基づいて未転送画像の存在を報知させるプログラムステップと、を備えたことを特徴とするプログラムを提供する。これにより、撮像装置はクレードルへの装着時に未転送画像を検出し、未転送画像を報知するよう動作する。
【００３４】
また、請求項２０に記載の発明では、装着された撮像装置の電源充電機能及び装着された撮像装置から外部画像記録装置へデータを転送するデータ転送機能を備えたクレードルに装着された撮像装置において実行可能なプログラムであって、撮像装置への充電用電源の供給開始を検出させるプログラムステップと、充電用電源の供給開始が検出されたとき、自装置に記憶されている転送済み画像情報と記録画像の画像情報を比較させるプログラムステップと、比較結果に基づいて未転送画像情報を抽出させるプログラムステップと、抽出された未転送画像情報に基づいて未転送画像の存在を報知させるプログラムステップと、を備えたことを特徴とするプログラムを提供する。これにより、撮像装置は、クレードルでの充電時に未転送画像を検出し、未転送画像を報知するよう動作するので、ユーザは未転送画像の有無を調べるために撮像装置をクレードルに装着する意識がなくても未転送画像の有無を知ることができる。
【００３５】
また、請求項２１に記載の発明では、外部画像記録装置とＵＳＢ接続可能な撮像装置において実行可能なプログラムであって、外部画像記録装置とのＵＳＢ接続を検出させるプログラムステップと、外部画像記録装置とのＵＳＢ接続が検出されたとき、自装置に記憶されている転送済み画像情報と記録画像の画像情報とを比較させるプログラムステップと、比較結果に基づいて未転送画像情報を抽出させるプログラムステップと、抽出された未転送画像情報に基づいて未転送画像の存在を報知させるプログラムステップと、を備えたことを特徴とするプログラムを提供する。これにより、撮像装置は、外部画像記録装置とのＵＳＢ接続時に未転送画像を検出し、未転送画像を報知するよう動作するので、クレードルに装着しなくても未転送画像の存在を知ることができる。
【００３６】
また、請求項２２に記載の発明では、装着された撮像装置から外部画像記録装置へデータを転送するデータ転送機能を備えたクレードルにおいて実行可能なプログラムであって、外部画像記録装置の接続を検出させるプログラムステップと、前記外部画像記録装置との接続が検出されたとき、該外部画像記録装置に保存されている画像の画像情報を取得させるプログラムステップと、クレードルに記憶されている転送済み画像の画像情報を前記外部画像記録装置から取得された画像情報で更新させるプログラムステップと、を備えたことを特徴とするプログラムを提供する。  
これにより、クレードルが外部画像記録装置に接続されると自動的に外部画像記録装置に記録されている画像情報によってクレードルに保存されている画像情報が更新されるので、パーソナルコンピュータで画像を誤って消去してしまったような場合に、自動的にデジタルカメラから消去した画像ファイル等の転送を受けることができる。
【００３７】
また、請求項２３に記載の発明では、デジタルカメラとパーソナルコンピュータを接続し、デジタルカメラ内の画像データをパーソナルコンピュータに転送するクレードルであって、該クレードル内に、転送した画像データのファイル名を保存する手段を備えたことを特徴とするクレードルを提供する。これにより、クレードル側でデジタルカメラからパーソナルコンピュータに転送済みの画像や未転送の画像に係わる画像情報を参照することができる。
【００３８】
また、請求項２４に記載の発明では、更に、保存したファイル名とデジタルカメラ内に記憶されている画像データのファイル名を比較する手段を備えたことを特徴とする請求項２３記載のクレードルを提供する。これにより、クレードル側でデジタルカメラからパーソナルコンピュータに転送済みの画像や未転送の画像に係わる画像情報を抽出することができる。
【００３９】
また、請求項２５に記載の発明では、更に、保存したファイル名とパーソナルコンピュータ内に記憶されている画像データのファイル名を比較する手段を備えたことを特徴とする請求項２３記載のクレードルを提供する。  
これにより、パーソナルコンピュータの画像情報記録内容とクレードルの画像記憶内容の差異を検出することができるので、パーソナルコンピュータ側で不足している画像を自動的にデジタルカメラから転送することができる。
【００４０】
また、請求項２６に記載の発明では、更に、デジタルカメラの機種識別情報を保存する手段と、画像転送時に、保存した機種識別情報と接続されたデジタルカメラの機種情報を比較する手段を備えたことを特徴とする請求項２３記載のクレードルを提供する。  
これにより、記憶している画像情報管理データと装着されたデジタルカメラの画像情報を比較することにより、当該デジタルカメラの未転送情報のみを抽出するように構成することができるので、例えば、各デジタルカメラで撮影した種々の分野の画像を撮影分野別に備えられた複数のパーソナルコンピュータに分野別に転送することができる。
【００４１】
また、請求項２７に記載の発明では、デジタルカメラとパーソナルコンピュータを接続し、デジタルカメラ内の画像データをパーソナルコンピュータに転送するクレードルであって、該クレードル内に、転送した画像データのファイル情報を保存する手段を備えたことを特徴とするクレードルを提供する。  
これにより、クレードル側で未転送画像のサムネイル画像等のファイル情報を表示できる。また、選択手段を設けることにより、パーソナルコンピュータに転送が必要な画像のみを選択することができる。
【００４２】
また、請求項２８に記載の発明では、更に、保存したファイル情報とデジタルカメラ内に記憶されている画像データのファイル情報を比較する手段を備えたことを特徴とする請求項２７記載のクレードルを提供する。これにより、クレードル側でデジタルカメラからパーソナルコンピュータに転送済みの画像や未転送の画像に係わる画像情報を抽出することができる。
【００４３】
また、請求項２９に記載の発明では、更に、保存したファイル情報とパーソナルコンピュータ内に記憶されている画像データのファイル情報を比較する手段を備えたことを特徴とする請求項２７記載のクレードルを提供する。これにより、パーソナルコンピュータの画像情報記録内容とクレードルの画像記憶内容の差異を検出することができるので、パーソナルコンピュータ側で不足している画像を自動的にデジタルカメラから転送することができる。
【００４４】
また、請求項３０に記載の発明では、更に、デジタルカメラの機種識別情報を保存する手段と、画像転送時に、保存した機種識別情報と接続されたデジタルカメラの機種情報を比較する手段を備えたことを特徴とする請求項２７記載のクレードルを提供する。  
これにより、記憶している画像情報管理データと装着されたデジタルカメラの画像情報を比較することにより、当該デジタルカメラの未転送情報のみを抽出するように構成することができるので、例えば、各デジタルカメラで撮影した種々の分野の画像を撮影分野別に備えられた複数のパーソナルコンピュータに分野別に転送することができる。
【００４５】
また、請求項３１に記載の発明では、デジタルカメラとパーソナルコンピュータを接続し、デジタルカメラ内の画像データをパーソナルコンピュータに転送するクレードルであって、該クレードル内に、転送した画像データのサムネイルを保存する手段を備えたことを特徴とするクレードルを提供する。クレードル側で未転送画像のサムネイル画像を表示できる。また、選択手段を設けることにより、パーソナルコンピュータに転送が必要な画像のみを選択することができる。
【００４６】
また、請求項３２に記載の発明では、デジタルカメラとパーソナルコンピュータを接続し、デジタルカメラ内の画像データをパーソナルコンピュータに転送するクレードルであって、該クレードル内に、転送した画像データの転送履歴を保存する手段を備えたことを特徴とするクレードルを提供する。これにより、画像の転送先等を調べることが簡単にできる。
【００４７】
また、請求項３３に記載の発明では、更に、デジタルカメラ内の画像データをパーソナルコンピュータに転送する際に、保存されている転送履歴を参照する手段を備えたことを特徴とする請求項３２記載のクレードルを提供する。これにより、例えば、デジタルカメラの機種別にどのような画像をどのパーソナルコンピュータに送信したかが簡単に分かるので、誤って転送した画像の消去や正しい転送先への転送が容易となる。
【発明の効果】
【００４８】
本発明により、ユーザがデジタルカメラをクレードルに装着するだけでデジタルカメラからパソコン等の外部装置に転送していない画像がデジタルカメラにあるか否かを知ることができる。また、未転送画像のみをクレードルを介して外部画像記録装置に転送できる。また、所望の未転送画像のみをクレードルを介して外部画像記録装置に転送することもできる。
【発明を実施するための最良の形態】
【００４９】
（実施形態１）  
図１は本発明のクレードルの一実施例の正面側外観図である。なお、クレードルは、ステーション、ドック、充電台などと呼ばれることもある。クレードル１は正面側に開口したカメラ装着部１Ａを有し、カメラ装着部１Ａには背部のカメラ支持板１Ｂとカメラを嵌合する凹部１Ｃが設けられている。また、凹部１Ｃの底面にはカメラをカメラ装着部１Ａに装着する際に、カメラ側の端子嵌合孔９３（図５（ｄ））と嵌合するクレードル側入出力部３と、クレードル１へのカメラの装着を検出する装着検出部４が設けられている。クレードル側入出力端子部３Ａはカメラ側の端子嵌合孔９３に嵌合するように形成された雄形端子であり、カメラ側の端子嵌合孔９３に嵌合するとカメラ側と電気的に接続しカメラ側入出力Ｉ／Ｆ（インターフェイス）を介してカメラとクレードル１間のデータの授受及び充電を可能とするための入出力端子及び充電用電源供給端子が組み込まれている。
【００５０】
また、クレードル１の正面下側には、ユーザがカメラへの充電指示を行うための充電ボタン６−１等のボタンやパソコンへの画像転送報知を行うためのＬＥＤ８−１等が設けられている。なお、未転送画像がある場合にその旨を報知するＬＥＤ（又は、音声出力装置）８−２を設けてもよい。
【００５１】
また、クレードル１の側部（又は、背部）にはパソコン側入出力部５とパソコンを接続するＵＳＢケーブル５Ａ及び外部電源と電源部９を接続する電源ケーブル９Ａを備えている。なおクレードル１の充電機能は必須ではない。
【００５２】
なお、未転送画像の有無をクレードル１側で報知するように構成した場合は報知部８としてＬＥＤ（発光ダイオード）ディスプレイでもよく、スピーカ等の音声出力装置のように未転送画像の有無を報知できる装置を設ける。報知内容はその装置の機能に応じた方法、例えば、ＬＥＤディスプレイや音声出力装置なら、単に、未転送画像がカメラにある旨の短いメッセージの出力等により報知できる。
【００５３】
図２はクレードルの回路構成の一実施例を示す図であり、クレードル１は、制御部２、カメラ側入出力部３、装着検出部４、パソコン側入出力部５、操作部６、メモリ７、報知部８、電源部９、及び充電部９Ｂを備えている。
【００５４】
報知部８の符号８−１は画像転送報知用ＬＥＤを示し、画像転送報知用ＬＥＤ８−１を未転送画像報知用のＬＥＤと兼用するようにしてもよい。また、報知部８として未転送画像報知用のＬＥＤ又は音声出力装置を設けるようにしてもよい。なお、クレードル１が充電機能を有しない場合は充電部９Ｂは省略される。
【００５５】
制御部２は、ＣＰＵ、ＲＡＭ及びプログラム格納メモリを含むマイクロプロセッサ構成を成し、クレードル１全体の動作を制御すると共にプログラム格納メモリに格納されている動作プログラムによる画像転送処理等の実行制御を行う。
【００５６】
カメラ側入出力部３はデジタルカメラ１００がクレードル１に装着されるとクレードル側入出力端子部３Ａを介して受信する画像情報をＲＡＭ（又は、メモリ７）に取り込む。また、装着検出部４は、光センサ、或いはメカニカルスイッチ等で構成され、カメラがクレードル１に装着されると装着検出信号を送出する。
【００５７】
パソコン側入出力部５はＵＳＢケーブル５Ａと接続し、デジタルカメラ１００がクレードル１に装着されるとデジタルカメラ１００からクレードル１を介してパソコン２００（図３）に画像データが転送される。
【００５８】
操作部６は図１に示したような充電ボタン６−１等のスイッチやキーを備え、これらのボタンが操作されると対応する信号が制御部２に送出される。なお、クレードル１の背部等にリセットボタンを設け、メモリ７の記憶内容を消去できるようにしてもよい。
【００５９】
メモリ７はデジタルカメラ１００の画像識別情報を保存記憶する。報知部８は画像転送の際に画像転送用ＬＥＤ８−１を点灯する。なお、前述したように未転送画像がある旨を報知できる装置８−２、例えば、ＬＥＤ（発光ダイオード）ディスプレイを設けるようにしてもよく、スピーカ等の音声出力装置を設けるようにしてもよい。
【００６０】
充電部９Ｂはデジタルカメラ１００がクレードル１に装着された後、自動的にあるいはユーザが充電ボタン６−１を押すと、クレードル側入出力端子部３Ａの充電用電源供給端子を介してデジタルカメラの電池に充電用電源を供給する。
【００６１】
図３はデジタルカメラを装着した未転送画像報知システム２５０の説明図であり、図４は未転送画像報知システム２５０による画像転送及び未転送画像報知方法を示すフローチャートであり、図４（ａ）は画像転送時の説明図（フローチャート）、図４（ｂ）は未転送画像の有無確認時の説明図（フローチャート）である。
【００６２】
図３に示すように、クレードル１のカメラ装着部１Ａには図５に示すようなデジタルカメラ１００が装着できる。また、クレードル１はＵＳＢケーブル５Ａでパソコン２００と接続される。
【００６３】
＜画像転送時＞  
図４（ａ）で、ユーザがクレードル１にデジタルカメラ１００を装着しパソコン２００と接続すると（ステップＰ１）、デジタルカメラ１００から未転送画像及びその画像識別情報（例えば画像のファイル名）及びファイル情報がクレードル１を介してパソコン２００に転送される（ステップＰ２）。また、クレードル１はパソコン２００に転送した画像の画像識別情報を保持する（ステップＰ３）。
【００６４】
なお、上記ステップＰ２でいうファイル情報は、規定のフォーマットで収録された撮影画像に関する情報（日付、画像サイズなど）とサムネイル画像である。
【００６５】
＜未転送画像の有無確認＞  
図４（ｂ）で、ユーザがクレードル１にデジタルカメラ１００を装着すると（ステップＱ１）、クレードル１は保持している画像識別情報とデジタルカメラ１００に記憶されている画像の画像識別情報の差異の有無を調べ（ステップＱ２）、差異がある場合は未転送画像ありと判定する（ステップＱ３）。デジタルカメラ１００はクレードル１から未転送画像ありの旨の信号を受信すると、未転送画像がある旨の表示（例えば、「転送していない画像があります。画像の消失を防ぐためにパソコンにバックアップしてください」といったメッセージ表示）を行う（ステップＱ４）。
【００６６】
上記図４のフローチャートに示した方法により、デジタルカメラ１００をクレードル１に装着すると未転送画像の有無が報知されるので、ユーザは、デジタルカメラ１００を操作して未転送画像を選択し、クレードル１を介してパソコン２００に転送できので、ユーザによるバックアップのし忘れを防止できる。
【００６７】
なお、上記ステップＱ４ではデジタルカメラ１００側で未転送画像がある旨を報知するようにしたが、クレ―ドル１に未転送画像報知用のＬＥＤ８−２を設けて、ステップＱ４で未転送画像がある場合はその旨を表示したり、画像転送報知用のＬＥＤ８−１と兼用し、未転送画像がある場合はステップＱ４でＬＥＤ８−１を点滅させるように構成してもよい。
【００６８】
また、デジタルカメラ１００が内蔵メモリ（フラッシュメモリ５０）とメモリカードを備えている場合、上記ステップＱ３でそれぞれについて未転送画像の有無を調べ、ステップＱ４でそれぞれについて未転送画像の有無を報知するようにしてもよい。
【００６９】
また、パソコン２００とクレードル１が接続された際に、パソコン２００に保存されている画像のファイル名とクレードル１に記憶されている転送済み画像のファイル名をクレードル１側で調べ、画像ファイル名が一致しない場合は、パソコン２００に保存されている画像の画像ファイル名でクレードル１に記憶されているファイル名を更新（上書き更新）するようにしてもよい。このように構成すれば、パソコン２００で画像を誤って消去してしまったような場合に、改めてデジタルカメラ１００から消去した画像データ等の転送を受けることができる。また、クレードル１の背部等にリセットボタンを設け、メモリ７の記憶内容を消去できるようにした場合、誤って記憶内容を消去してもパソコン２００に接続すれば自動的にパソコン２００に記録されている画像ファイル名等の画像識別情報をクレードル１のメモリ７に記憶できる。
【００７０】
図５はクレードル１に装着可能なデジタルカメラの一実施例の外観を示す図であり、デジタルカメラ１００は正面側（図５（ａ））に撮像レンズ１１１、測光センサ１１３を有し、更に、光学ファインダ１１２を有している。デジタルカメラ１００の背面（図５（ｂ））には液晶モニタ画面４１、光学ファインダ１１２、モードの切換えを行なうモード切換えスイッチ３１、液晶モニタスイッチ３２、ズームキー３３、メニューキー３４、カーソルキー３５、撮影モードボタン３８等のスイッチ及びキーが設けられている。また、上面（図５（ｃ））にはシャッターキー３６、ストロボ設定キー３７、及び電源ボタン９１が設けられ、側部にはパーソナルコンピュータ（以下、パソコン）やモデム等の外部装置とＵＳＢケーブル接続する場合に用いるＵＳＢ端子接続部９５が設けられている。なお、更に、正面等に赤外線通信やブルートゥース等の近接通信用の光送受口や無線通信用アンテナ、ＧＰＳ受信アンテナを設けるようにしてもよい。また、底面（図５（ｄ））には装着検出部９２及び端子嵌合孔９３が設けられている。
【００７１】
図６は、図５に示したデジタルカメラの内部構成例を示すブロック図である。図６で、デジタルカメラ１００は、光学系１１、信号変換部１２、信号処理部１３、ＤＲＡＭ１４、入出力Ｉ／Ｆ（インターフェイス）１５、装着検出部１６、制御部２０、操作部３０、表示部４０、フラッシュメモリ５０、及び電源９０を有している。
【００７２】
光学系１１は、撮像レンズ１１１、測光センサ１１３、自動合焦機構１１４及び自動絞り機構等（図示せず）を含み、撮像レンズ１１１を介して集光された被写体像の光束を後段の撮像素子（ＣＣＤ）上に結像させる。
【００７３】
信号変換部１２は、Ａ／Ｄ変換器等の信号変換回路等を含み、また、前段の光学系１１を介して結像した画像をＣＣＤによって電気信号に変換し、その電気信号をデジタルデータに変換して一定の周期で出力する。
【００７４】
信号処理部１３は、通常撮像モード時には信号変換部１２からの出力を処理して、デジタルの輝度、色差マルチプレクス信号（Ｙ，Ｃｂ，Ｃｒデータ）等の信号成分を得て、Ｙ，Ｃｂ，Ｃｒデータ（以下、画像データ）をＤＲＡＭ１４に転送し、一時的に記憶する。また、スルー画像を表示するために、取込んだ画像データを間引いて表示部４０に送る。また、シャッター操作がされるとその時点の画像データを表示部４０に送って静止画表示させる。
【００７５】
また、信号処理部１３は、記録保存の際にＤＲＡＭ１４に書込まれている画像データを読み出してＪＰＥＧ圧縮処理を施し、再生時にフラッシュメモリ（保存メモリ）５０に保存記録されていた圧縮画像データに伸張処理を施して画像データを再生する圧縮伸張部を備えている。また、圧縮画像データを高速で伸張する高速伸張部を備えるように構成してもよい。
【００７６】
ＤＲＡＭ１４は作業用メモリとして用いられ、撮像された画像を一時的に記憶する画像バッファ領域やＪＰＥＧ圧縮／伸張時や画像合成時の作業用領域等が確保されている。
【００７７】
入出力Ｉ／Ｆ（インターフェイス）１５は、クレードル１の端子部と電気的に接続し、図３に示したようにデジタルカメラ１００がクレードル１に装着された際に、フラッシュメモリ５０に記憶されている画像情報データをクレードル１のＲＡＭに転送したり、未転送画像データのパソコン２００への転送等のほか、デジタルカメラ１００とクレードル１間の制御データやプログラム等の送信を行う。
【００７８】
装着検出部１６は、光センサ、メカニカルスイッチ等で構成され、デジタルカメラ１００がクレードル１に装着されると装着検出信号を制御部２０に送出する。また、クレードル１へのデジタルカメラ１００の装着検出は制御部２０による定期的アクセスやインタラプト信号検出などソフトウエア的に実現することもできる。
【００７９】
制御部２０はＣＰＵ、ＲＡＭ、プログラム格納用ＲＯＭおよびタイマ等の計時機構を有したマイクロプロセッサ構成を有しており、ＣＰＵは、上述の各回路および図示しない電源切換えスイッチ等にバスラインを介して接続し、プログラム格納用ＲＯＭに格納されている制御プログラムによりデジタルカメラ１００全体の制御を行なうと共に、操作部３０からの状態信号に対応してプログラム格納用ＲＯＭに格納されている各モードに対応の処理プログラムを取り出して、デジタルカメラ１００の各機能の実行制御を行う。また、画像転送時の動作プログラムにより装着検出部１６からのデジタルカメラ１００のクレードル１への装着検出信号やクレードル１から受信した制御データ等により、フラッシュメモリ５０からの画像情報や画像データの取り出しや、画像の表示部４０への表示制御等を行う。
【００８０】
操作部３０はモード切替えスイッチ３１、液晶モニタスイッチ３２、ズームキー３３、メニューキー３４、カーソルキー３５、シャッターキー３６、及びストロボ設定キー３７、撮影モードボタン３８等のボタンやスイッチを構成部分としており、これらのキーやボタン或いはスイッチが操作されると状態信号や設定値が制御部２０に送出される。
【００８１】
表示部４０はビデオエンコーダ、ＶＲＡＭ（図示せず）および液晶モニタ画面（ＬＣＤ）４１等から構成されており、制御部２０の表示制御により、撮像時のスルー画像、及び再生時の再生画像、処理選択時の選択用メニュー（或いはアイコン）の表示等を行なう。
【００８２】
フラッシュメモリ５０は画像データ（圧縮画像データ）を記録する。また、画像の撮影モードや撮影日時や画像識別情報を含む画像情報を記録することができる。また、フラッシュメモリ５０に代えてメモリカードのように着脱可能な記憶媒体を用いるようにしてもよいし、フラッシュメモリ５０に加え、メモリカードのように着脱可能な記憶媒体を用いるようにしてもよい。
【００８３】
測光センサ１１３はデジタルカメラ１００の周辺光量を計測して制御部２０に計測値を送る。自動合焦機構は、制御部２０の制御下でいわゆるオートフォーカスによる合焦のためのレンズの移動等を行う。
【００８４】
図７は、クレードルを介しての画像転送動作時のクレードル及びデジタルカメラの動作例を示すフローチャートであり、図７（ａ）は、デジタルカメラ１００がクレードル１に装着されたときクレードル１側で起動される動作プログラムによる制御部２の制御による動作を示し、図７（ｂ）はデジタルカメラ１００がクレードル１に装着されたときデジタルカメラ１００側で起動される動作プログラムに基づいてデジタルカメラ１００の制御部２０の制御による動作例を示す。
【００８５】
・デジタルカメラ装着時のクレードルの動作；  
図７（ａ）で、ユーザはデジタルカメラ１００をクレードルに装着し、ＵＳＢケーブル５Ａでクレードル１とパソコン２００を接続する。デジタルカメラ１００がクレードルに装着されるとステップＲ２に進む（ステップＲ１）。
【００８６】
次に、デジタルカメラ１００からファイル名を受信すると、受信したファイル名をＲＡＭに取り込んで保持し（ステップＲ２）、メモリ７の転送済み画像記憶領域に記憶されている転送済み画像のファイル名と上記ステップＲ２でＲＡＭに保持したファイル名とを比較し、ＲＡＭに受信したファイル名のうちメモリ７に記憶されているファイル名と一致しないファイル名を抽出して未転送画像のファイル名としてＲＡＭに保持する。また、この際、上記ステップＲ２で保持した受信ファイル名はクリアする（ステップＲ３）。
【００８７】
未転送画像の有無、つまり、上記ステップＲ３でＲＡＭに保持した未転送ファイル名の有無を調べ、保持した未転送ファイル名がない場合はステップＲ５に進み、保持した画像情報がある場合はステップＲ６に進む（ステップＲ４）。
【００８８】
保持した未転送ファイル名がない場合は、未転送画像無しを意味するコードを含む通知データをデジタルカメラ１００に送信して処理を終了する（ステップＲ５）。
【００８９】
また、保持した未転送ファイル名がある場合は、上記ステップＲ３でＲＡＭに保持した未転送ファイル名を含む通知データをデジタルカメラ１００に送信する。（ステップＲ６）。
【００９０】
デジタルカメラ１００から画像ファイル（＝１フレーム分の画像データ）を受信すると、受信した画像ファイル、ファイル名、及びファイル情報をパソコン側入出力部５及びＵＳＢケーブル５Ａを介してパソコン２００に転送し（ステップＲ７）、ＲＡＭに保持した未転送画像のファイル名をメモリ７の転送済みファイル名記憶領域に追加記憶する（ステップＲ８）。
【００９１】
・クレードルに装着したデジタルカメラの動作；  
図７（ｂ）で、ユーザがクレードル１にデジタルカメラ１００を装着すると装着検出部１６から装着検出信号が制御部２０に送出されるので、制御部２０は装着検出部１６からの信号を調べ（ステップＳ１）、装着検出信号を受け取るとフラッシュメモリ５０から記録画像のファイル名を取り出してクレードル１に送信する（ステップＳ２）。
【００９２】
また、クレードル１から通知データを受信すると、通知データを調べ、未転送画像のファイル名が含まれている場合は、ステップＳ４に進み、未転送画像無しを意味するコードが含まれている場合はステップＳ９に進む（ステップＳ３）。
【００９３】
未転送画像がある場合は、表示部４０に図９（ａ）に示すようなメッセージ７１を表示し、未転送画像選択ボタン７３がクリックされた場合は、ステップＳ５に進み、全未転送画像送信ボタン７２がクリックされた場合は、ステップＳ８に進む（ステップＳ４）。
【００９４】
未転送画像選択ボタン７３がクリックされた場合は、クレードル１から受信したファイル名を基にフラッシュメモリ５０から全ての未転送画像のサムネイル画像ファイルを取り出し、図９（ｂ）に示すように表示部４０に未転送画像のサムネイル画像７５を表示して転送する未転送画像の選択を促し（ステップＳ５）、ユーザが送信する未転送画像を選択すると、選択された未転送画像の画像ファイル及び当該画像ファイルのファイル情報を取り出してクレードル１に送信し（ステップＳ６）、選択が終わると処理を終了する（ステップＳ７）。
【００９５】
全未転送画像送信ボタン７２がクリックされた場合は、クレードル１から受信したファイル名を基にフラッシュメモリ５０から未転送画像の画像ファイル及び当該画像ファイルのファイル情報を順次取り出してクレードル１に送信し、全ての未転送画像の画像ファイル及びファイル情報を送信すると処理を終了する（ステップＳ８）。
【００９６】
未転送画像選択ボタン７３がクリックされた場合は、クレードル１から受信したファイル名を基にフラッシュメモリ５０から全ての未転送画像のサムネイル画像ファイルを取り出し、図９（ｂ）に示すように表示部４０に未転送画像のサムネイル画像を表示して転送する未転送画像の選択を促し（ステップＳ６）、ユーザが送信する未転送画像を選択すると、選択された未転送画像の画像ファイル及び当該画像ファイルのファイル情報を取り出してクレードル１に送信し（ステップＳ７）、選択が終わると処理を終了する（ステップＳ８）。
【００９７】
また、上記ステップＳ３で、未転送画像無しの場合は、表示部４０に未転送画像無しを意味するメッセージ、例えば、「未転送画像はありません、全て転送済みです」といったメッセージを表示し、ユーザの確認入力があると処理を終了する（ステップＳ９）。
【００９８】
上記図７のフローチャートに示した動作により、デジタルカメラ１００をクレードル１に装着すると未転送画像の有無がデジタルカメラ１００上で報知されるので、バックアップ漏れが生じない。また、ユーザは所望の未転送画像のみをクレードル１を介してパソコン２００に転送することもできる。
【００９９】
また、上記ステップＲ１でデジタルカメラ１００をクレードルに装着し、ＵＳＢケーブル５Ａでクレードル１とパソコン２００を接続したあと、充電ボタン６−１が押された場合にメモリ７の転送済みファイル名記憶領域に保存されている転送済みファイルのファイル名を取り出し、ＲＡＭに保持するようにしてもよい。このように構成した場合は、デジタルカメラ１００の電池を充電しながら未転送画像の有無確認を行うことができる。
【０１００】
なお、上記ステップＲ７では、転送／未転送画像一覧を表示するようにしたが、未転送画像の撮影日時及び画像のファイル名のみを編集して未転送画像一覧を液晶表示部８に表示するようにしてもよい。
【０１０１】
また、クレードル１に未転送画像報知用ＬＥＤ（又は、音声出力装置）８−２を設けた場合は、ステップＳ５を未転送画像報知用ＬＥＤ（又は、音声出力装置）８−２からその旨のメッセージ（例えば、「未転送画像がある場合は、クレードル１から受信したファイル名を基にフラッシュメモリ５０から未転送画像の画像ファイル及び当該画像ファイルのファイル情報を順次取り出してクレードル１に送信し、全ての未転送画像の画像ファイル及びファイル情報を送信すると処理を終了する」）を出力するように構成し、ステップＳ６、ステップＳ７を省略するようにする。
【０１０２】
・パソコンに接続された際のクレードルの動作；  
図８は、パソコン２００がクレードル１に装着されたときクレードル１側で起動される動作プログラムによる制御部２の制御による動作を示すフローチャートである。  
図８で、任意のタイミングにおいて、クレードルのＵＳＢケーブル５Ａがパソコン２００に接続されると（ステップＴ１）、クレードル１はパソコン２００から当該パソコンに保存されている画像のファイル名全てを取得し（ステップＴ２）、パソコン２００で消去された記録画像があるか否かを調べるために、パソコン２００から取得したファイル名とクレードル１のメモリ７に記憶されている転送済み画像のファイル名全て、例えば、パソコンで実行されるカメラリンクソフトが管理するフォルダに格納される転送済み画像のファイル名全てと比較する。あるいは拡張子がＪＰＥＧやＢＭＰなど画像であることを示すファイル名を比較する。そして、全ファイル名が一致した場合は動作を終了し（ステップＴ３）、また、ファイル名が一致しない場合はパソコンから取得したファイル名全てでメモリ７に記憶されている転送済み画像のファイル名全てを更新（上書き記憶）する（ステップＴ４）。
【０１０３】
上記図８のフローチャートに示したような動作により、パソコン２００で画像を誤って消去してしまったような場合に、デジタルカメラ１００をクレードル１に装着すれば、図７（ａ）、図７（ｂ）によりデジタルカメラ１００から消去した画像ファイル等の転送をうけることができる。
【０１０４】
（実施形態２）  
上記実施形態１では、デジタルカメラ側でメッセージや未転送画像を表示するように構成したが、本発明では報知部として液晶表示部を設け、クレードル側で未転送画像の選択や送信指示ができるように構成している。また、デジタルカメラの外観、構成及び機能は図５、図６で示したデジタルカメラ１００の外観、構成及び機能と同様とする。
【０１０５】
図１０は本発明のクレードルの一実施例の正面側外観図である。図１０に図示されている部分のうち、クレードル３００の正面側に設けられた報知部としての液晶表示画面、正面下側に設けられた、パソコンへの画像転送指示を行うための画像転送ボタン６−２、及び未転送画像の有無等の確認指示を行うための画像確認ボタン６−３以外の部分の配置及び機能は図１に示したクレードル１の各部分の配置及び機能と同様であり、対応する部分には同じ符号を付してある。
【０１０６】
なお、画像確認ボタン６−３は設けなくてもよい。また、充電ボタン６−１で画像確認ボタン６−３を兼用するようにしてもよい。
【０１０７】
また、未転送画像を選択的に転送可能とするために、未転送画像のうち転送したい画像を選択するための手段、例えば、カーソルキー、マウス、或いはタッチペン等の指定・選択手段を備えるようにしてもよい。
【０１０８】
図１１は、クレードル１の液晶表示部８に表示される転送／未転送画像情報の一実施例を示す図であり、符号８１は未転送画像情報、符号８２は転送済み画像情報の表示例を示す。なお、転送／未転送画像情報の代わりに未転送画像情報のみを一覧表示するようにしてもよい。
【０１０９】
図１２はクレードルの回路構成の一実施例を示す図であり、クレードル３００は、制御部２、カメラ側入出力部３、装着検出部４、パソコン側入出力部５、操作部６、メモリ７、液晶表示部（報知部）８、電源部９、及び充電部９Ｂを備えている。なお、クレードル３００が充電機能を有しない場合は充電部９Ｂは省略される。また、制御部２及び液晶表示部８以外の構成で図２に示したクレードル１と同じ符号の部分は、クレードル１の場合と同様の構成及び機能を備えている。
【０１１０】
制御部２は、ＣＰＵ、ＲＡＭ及びプログラム格納メモリを含むマイクロプロセッサ構成を成し、クレードル３００全体の動作を制御すると共にプログラム格納メモリに格納されている画像転送プログラムにより報知部８を制御して、装着されているデジタルカメラ（図５、図６、図１４参照）に記録されている画像がパソコンに送信されているかいないかを液晶表示部４０に表示し、ユーザに報知させる。
【０１１１】
パソコン側入出力部５はＵＳＢケーブル５Ａと接続し、デジタルカメラ１００がクレードル３００に装着された後、ユーザが転送ボタン６−２を押すと、デジタルカメラ１００からクレードル３００を介してパソコン２００に画像ファイルが転送される。
【０１１２】
操作部６は図１に示したような充電ボタン６−１、転送ボタン６−２、画像確認ボタン６−３等のスイッチやキーを備え、これらのボタンのいずれかが操作されると対応する信号が制御部２に送出される。なお、操作部６に未転送画像を選択的に転送可能とするために、未転送画像のうち転送したい画像を選択するための手段、例えば、カーソルキー或いはマウスを備えるようにしてもよい。この場合、カーソルキー又はマウスが操作されると指定された未転送画像に対応する位置情報が制御部２に送出される。
【０１１３】
メモリ７はデジタルカメラ１００のファイル情報（撮影画像に関する情報とサムネイル画像）を保存記憶する。液晶表示部８は、図１１に示したような転送／未転送画像情報や未転送画像のサムネイル画像、及び各種メッセージを表示する。なお、ファイル情報は例えばＥｘｉｆ（Exchangeable File Format）情報として保存記憶する。
【０１１４】
図１３はクレードル内の画像情報管理データの一実施例の構造を示す図であり、画像情報管理データ３１０−１、・・・３１０−ｎは、図１３（ａ）に示すように、パソコン識別情報を記憶するパソコン識別情報欄３１１、撮影日時を記憶する撮影日時欄３１３、画像を識別するためファイル名を記憶するファイル名欄３１４、及びパソコンへの送信日時を記憶する送信日時欄３１５を含んでいる。なお、送信日時欄３１５の代わりに、転送済みの場合に転送済みを意味するコード（例えば、「１」）を記憶する転送済みフラグ欄を設けてもよい。
【０１１５】
画像情報管理データ３１０−１、・・・３１０−ｎはメモリ７内で、例えば、パソコン識別情報、撮影日時の順にソートされて画像情報管理テーブル３１０として記憶されている。
【０１１６】
なお、図１３（ｂ）に示すように、複数のデジタルカメラを識別可能とするため機種ＩＤのような機種識別情報を記憶するカメラ識別情報欄３１２を設けるようにしてもよい。このように構成した場合は、装着検出部４でデジタルカメラの装着時に装着されたデジタルカメラのカメラ識別情報を検出するように構成し、記憶している画像情報管理データと装着されたデジタルカメラの画像情報を比較することにより、当該デジタルカメラの未転送情報のみを抽出するように構成することができるので、例えば、各デジタルカメラで撮影した種々の分野（建物、風景、人物、・・・等）の画像を撮影分野別に備えられた複数のパソコンに分野別に転送することができる。
【０１１７】
図１４はデジタルカメラを装着した未転送画像報知システム３５０の説明図であり、クレードル３００のカメラ装着部１Ａには図６に示すようなデジタルカメラ１００が装着できる。デジタルカメラ１００をクレードル３００に装着すると、デジタルカメラ１００から画像情報がクレードル３００に取り込まれ、クレードル３００のＲＡＭに記憶される。ユーザが画像確認ボタン６−３を押すと、液晶表示部８に図１１に示したような転送／未転送画像情報（又は、未転送画像情報のみ）が一覧表示される。なお、充電ボタン６−１で画像確認ボタン６−３を兼用するようにした場合は、ユーザが充電ボタン６−１を押すと液晶表示部８に図２に示したような転送／未転送画像情報（又は、未転送画像情報のみ）が表示される。
【０１１８】
ユーザが転送ボタン６−２を押すとクレードル３００を介してデジタルカメラ１００からパソコン２００に未転送画像が転送される。また、画像確認ボタン６−３を設けない場合は、デジタルカメラ１００をクレードル３００に装着すると、デジタルカメラ１００から画像情報がクレードル３００に取り込まれ、クレードル３００のＲＡＭに記憶され、液晶表示部８に図１１に示したような転送／未転送画像一覧（又は、未転送画像一覧のみ）が表示される。ユーザが転送ボタン６−２を押すとクレードル３００を介してデジタルカメラ１００からパソコン２００に未転送画像が転送される。
【０１１９】
また、未転送画像を選択的に転送可能とするために、未転送画像のうち転送したい画像を選択するための手段、例えば、カーソルキー或いはマウスを備えた場合には、カーソルキー、マウス、又はタッチペン等の指定・選択手段を操作して所望の未転送画像を選択（複数選択可）した後、転送ボタン６−２を押すと選択された画像がクレードル３００を介してデジタルカメラ１００からパソコン２００に転送される。
【０１２０】
なお、未転送画像を選択する際に、所望の未転送画像情報をカーソルキー、マウス、又はタッチペン等の指定・選択手段で指定するとデジタルカメラ１００の液晶表示部４１に指定された未転送画像のサムネイル画像を表示することができる。
【０１２１】
図１５は未転送画像報知システム３５０による画像転送及び未転送画像報知方法を示すフローチャートであり、図１５（ａ）は画像転送時の説明図（フローチャート）、図１５（ｂ）は未転送画像の有無確認時の説明図（フローチャート）である。
【０１２２】
図１５に示したように、クレードル３００のカメラ装着部１Ａにはデジタルカメラ１００が装着できる。また、クレードル３００はＵＳＢケーブル５Ａでパソコン２００と接続される。
【０１２３】
＜画像転送時＞  
図１５（ａ）で、ユーザがクレードル３００にデジタルカメラ１００を装着しパソコン２００と接続すると（ステップＵ１）、デジタルカメラ１００から未転送画像及びその画像識別情報（例えば画像のファイル名）及びファイル情報がクレードル３００を介してパソコン２００に転送される（ステップＵ２）、また、クレードル３００はパソコン２００に転送した画像の画像識別情報及びファイル情報を保持する（ステップＵ３）。
【０１２４】
＜未転送画像の有無確認＞  
図１５（ｂ）で、ユーザがクレードル３００にデジタルカメラ１を装着すると（ステップＶ１）、ユーザの表示操作により、クレードル３００はメモリ７に記憶している画像識別情報とファイル情報を基にデジタルカメラ１００に記憶されている画像識別情報やサムネイル画像を表示させて閲覧することができる（ステップＶ２）。
【０１２５】
上記図１５のフローチャートに示した方法により、デジタルカメラ１００をクレードル３００に装着すると未転送画像の有無がクレードル３００側で報知され、サムネイル画像等が表示されるので、ユーザはクレードル３００のボタン等を操作して未転送画像を選択して、デジタルカメラから選択された画像ファイル等を取り込みパソコン２００に転送できる。つまり、操作ボタンの多いデジタルカメラ１００のボタンを操作しなくても済む。また、ユーザによるバックアップのし忘れを防止できる。
【０１２６】
図１６は、図１０のクレードルを介しての画像転送動作時のクレードル及びデジタルカメラの動作例を示すフローチャートである。図１６（ａ）は、デジタルカメラ１００がクレードル３００に装着されたときクレードル３００側で起動される画像転送プログラムに基づいてクレードル３００の制御部２の制御による動作例を示し、図１６（ｂ）はデジタルカメラ１００がクレードル３００に装着されたときデジタルカメラ１００側で起動される画像転送プログラムに基づいてデジタルカメラ１００の制御部２０の制御による動作例を示す。
【０１２７】
なお、図１６（ａ）の例では説明上、クレードル３００は常に同じパソコンに接続されるものとする。つまり、図１３の画像情報管理データのパソコン識別情報３１１は全て同じとして説明する。また、パソコン２００がクレードル３００に装着されたときのクレードル３００の動作は図８のフローチャートに示したパソコン２００がクレードル１に装着されたときの動作プログラムによるクレードルの動作と同様である。
【０１２８】
・デジタルカメラ装着時のクレードルの動作；  
図１６（ａ）で、ユーザはデジタルカメラ１００をクレードルに装着し、ＵＳＢケーブル５Ａでクレードル３００とパソコン２００を接続する。デジタルカメラ１００がクレードル３００に装着されると、ステップＷ２に進む（ステップＷ１）。
【０１２９】
次に、デジタルカメラ１００からファイル名及びファイル情報からなる画像情報を受信すると、それらをＲＡＭに取り込み、保持する（ステップＷ２）、ユーザが画像確認ボタン６−３を押して画像確認指示を行ったか否かを調べる（ステップＷ３）。
【０１３０】
ユーザが画像確認ボタン６−３を押した場合は、メモリ７に保存されている画像情報管理テーブル３１０に記憶されている転送済み画像のファイル名と受信したファイル名とを比較し、受信したファイル名のうちＲＡＭに保持した転送済みファイル名と一致しないファイル名及びファイル情報を抽出して未転送画像の画像情報としてＲＡＭに保持する（ステップＷ４）。
【０１３１】
次に、未転送画像の有無、つまり、上記ステップＷ４でＲＡＭに保持した未転送画像の画像情報の有無を調べ、画像情報を保持していない場合はステップＷ６に進み、画像情報を保持している場合はステップＷ７に進む（ステップＷ５）。
【０１３２】
保持した画像情報がない場合は、未転送画像無しを意味するメッセージ（例えば、「未転送画像はありません」を液晶表示部８に表示して処理を終了する（ステップＷ６）。
【０１３３】
また、未転送画像の画像情報が保持されている場合は、ステップＷ２でＲＡＭに保持した画像情報情報データとステップＷ４で抽出しＲＡＭに保持した画像情報（＝未転送画像の画像情報）に含まれる撮影日時及び画像のファイル名を編集して図１１に示すような転送／未転送画像情報一覧を作成して液晶表示部８に表示し、全ての未転送画像を転送するか、選択した転送画像を送信するために選択画像（実施例ではサムネイル画像）を表示するかの選択を促す（ステップＷ７）。
【０１３４】
ユーザがボタン７２を押して全ての未転送画像の転送を選択した場合は未転送画像のファイル名をＲＡＭに保持し、ステップＷ１１に進む。また、ボタン７３を押して選択画像表示を選択した場合はステップＷ９に進む（ステップＷ８）。
【０１３５】
制御部２は、上記ステップＷ４でＲＡＭに保持されている画像情報のうちのサムネイル画像ファイルを取り出して再生し、図９（ｂ）に示したような選択画面７５に再生したサムネイル画像（つまり、未転送画像のサムネイル画像）を表示し、ユーザに転送する画像の選択を促す（ステップＷ９）。
【０１３６】
ユーザが送信する未転送画像を選択すると、選択された未転送画像のファイル名を取り出してＲＡＭに保持し（ステップＷ１０）、ユーザが転送ボタン６−２を押したか否かを調べ（ステップＷ１１）、ユーザが転送ボタン６−２を押すとデジタルカメラ１００に上記ステップＷ９でＲＡＭに保持した画像のファイル名を含む画像送信要求を送信する（ステップＷ１２）。
【０１３７】
デジタルカメラ１００から画像ファイル及びファイル情報を受信すると、それらをパソコン側入出力部５及びＵＳＢケーブル５Ａを介してパソコン２００に転送し（ステップＷ１３）、ＲＡＭに保持したファイル名から転送済みの画像情報データを生成して、メモリ７の画像情報管理テーブル３１０に追加すると共に、サムネイル画像をメモリ７のサムネイル画像記憶領域に画像情報データと関連付けて記憶する（ステップＷ１４）。
【０１３８】
・クレードルに装着されたデジタルカメラの動作；  
図１６（ｂ）で、ユーザがクレードル３００にデジタルカメラ１００を装着すると装着検出部１６から装着検出信号が制御部２０に送出されるので、制御部２０は装着検出部１６からの信号を調べ（ステップＸ１）、装着検出信号を受け取るとフラッシュメモリ５０に記録されている全画像データのファイル名及び対応するファイル情報からなる画像情報をクレードル３００に送信する（ステップＸ２）。
【０１３９】
また、クレードル３００から未転送画像のファイル名を含む画像送信要求を受信するとフラッシュメモリ５０に記録されている画像ファイルを調べ、画像のファイル名に一致する画像ファイル及びファイル情報を順次取り出し（ステップＸ３）、クレードル３００に送信する（ステップＸ４）。
【０１４０】
上記図１６のフローチャートに示した動作により、デジタルカメラ１００をクレードル３００に装着すると未転送画像の有無が報知されるので、ユーザは未転送画像の有無を確認して未転送画像のみをクレードル３００を介してパソコン２００に転送できる。
【０１４１】
なお、上記図１６（ａ）のステップＷ３で、ユーザが画像確認ボタン６−３を押したか否かを調べるようにしたが、このステップを省略してもよい。このようにした場合には、デジタルカメラ１００がクレードル３００に装着されると自動的に転送／未転送画像一覧が表示されることとなる。
【０１４２】
また、上記ステップＷ３で充電ボタン６−１を押すようにしてもよい。このように構成した場合は、デジタルカメラ１００の電池を充電しながら未転送画像の有無確認を行うことができる。
【０１４３】
なお、上記ステップＷ７では、転送／未転送画像一覧を表示するようにしたが、未転送画像の撮影日時及び画像のファイル名のみを編集して未転送画像一覧を液晶表示部８に表示するようにしてもよい。
【０１４４】
＜変形例１＞  
上記実施形態１及び実施形態２で、パソコン２００とクレードル（変形例１及び変形例２の説明でクレードル１又はクレードル３００をいう）が接続された際に、パソコン２００に保存されている画像のファイル名とクレードルに記憶されている転送済み画像のファイル名をクレードル側で調べる手段を設け、ファイル名が一致しない場合は、パソコン２００に保存されている画像のファイル名でクレードルに記憶されているファイル名を更新（上書き更新）するようにしてもよい。このように構成すれば、パソコン２００で画像を誤って消去してしまったような場合に、改めてデジタルカメラ１００から消去した画像ファイル等の転送を受けることができる。
【０１４５】
また、この場合、パソコン２００の制御部はパソコン側動作プログラムに従い、図示しない接続検出部によってクレードルとの接続が検出されると、パソコン２００のメモリに保存されている画像の画像情報をクレードルに送信させるように動作する。
【０１４６】
＜変形例２＞  
また、上記実施形態２で、クレードルのメモリ７に、前述した画像情報管理テーブル３１０のほかに、図２２に示すようなデジタルカメラ内の画像データのパソコンへの転送履歴データ２２０を保存する領域を設け、デジタルカメラ１００からの画像データ等を転送する際に、転送元のデジタルカメラの機種ＩＤのようなカメラ識別情報２２１、パソコン識別情報２２２、画像ファイル名２２３、撮影画像に関する情報とサムネイル画像からなるファイル情報２２４、転送日時２２５等からなる転送履歴データを記憶する手段を備えるようにしてもよい。また、デジタルカメラ１００内の画像データをパソコン２００に転送する際に、クレードルのメモリ７に保存されている転送履歴データを参照する手段を備えるようにしてもよい。
【０１４７】
このように構成すれば、例えば、デジタルカメラの機種別にどのような画像をどのパソコンに送信したかが簡単に分かるので、誤って転送した画像の消去や正しい転送先への転送が容易となる。
【０１４８】
（実施形態３）
上記実施形態１及び実施形態２ではクレードル側で未転送画像の有無を調べるように構成したが、クレードルを画像転送機能のみ、或いは充電機能及び画像転送機能を備えた公知のクレードルとし、デジタルカメラ１００本体側（図６）で転送済み画像／未転送画像の管理を行うようにし、デジタルカメラ１００をクレードルに装着したとき、又はデジタルカメラ１００を充電するときに未転送画像の有無を報知するようにしてもよい。或いは、クレードル無しにＵＳＢ接続でデジタルカメラ１００とパソコン２００を接続したときに未転送画像の有無を報知するようにしてもよい。以下、デジタルカメラ１００の動作を図１７及び図１８〜図２０のフローチャートによりそれぞれ説明する。
【０１４９】
図１７は、デジタルカメラで転送／未転送画像を管理する場合にデジタルカメラ側に備えられる転送／未転送画像管理テーブルの一実施例であり、転送／未転送画像管理テーブル１７０はファイル名を記憶するファイル名欄１７１及びパソコン２００への転送日付を記憶する転送日付欄１７２からなる。なお、転送日付欄１７２の代わりに画像がパソコン２００に転送された場合に転送済みを意味するコード（例えば、「１」）を記憶する転送フラグ欄を設けるようにしてもよい。なお、転送日付欄１７２の初期値を０とし、画像ファイル名欄１７２にファイル名が記憶され、且つ転送日付欄１７２の内容が０の画像は未転送画像であることを意味する。
【０１５０】
図１８は、デジタルカメラを画像転送機能のみを備えたクレードルに装着した場合のデジタルカメラの未転送画像管理動作を示すフローチャートである。
【０１５１】
先ず、クレードルへのデジタルカメラ１００の装着をデジタルカメラ１００の装着検出部１６が検出すると（ステップＹ１）、フラッシュメモリ５０に記憶されている転送／未転送画像管理テーブル１７０の転送日付欄１７２に転送日付が記憶されたファイル名欄１７１の内容（＝ファイル名）をフラッシュメモリ５０に記録されている画像ファイルのファイル名と比較し、フラッシュメモリ５０に記録されている画像ファイルのファイル名のうち、転送／未転送画像管理テーブル１７０の転送日付欄１７２に転送日付が記憶されたファイル名欄１７１の内容と一致しないファイル名と転送／未転送画像管理テーブル１７０の転送日付欄１７２に転送日付が記憶されていないファイル名、つまり、未転送画像のファイル名を抽出してＲＡＭに保持する（ステップＹ２）。
【０１５２】
次に、ＲＡＭに未転送画像のファイル名が保持されているか否かを調べ（ステップＹ３）、保持されている場合は保持されているファイル名に対応するサムネイル画像を表示部４０に表示し、転送する未転送画像の選択を促し（ステップＹ４）、ユーザが画像（複数選択可）を選択すると（ステップＹ５）、選択されたファイル名に基づいてフラッシュメモリ５０から対応する画像ファイル及びその画像のファイル情報を取り出してクレードルに送信し（ステップＹ６）、選択されたファイル名を転送済み画像のファイル名として送信日付と共に転送／未転送画像管理テーブル１７０に追加する（ステップＹ７）。
【０１５３】
また、選択されなかったファイル名を転送／未転送画像管理テーブル１７０に追加する。この際、対応する転送日付欄１７２は０のままである（つまり、未転送画像を意味する（ステップＹ８）。
【０１５４】
上記図１８のフローチャートの動作により、デジタルカメラ１００本体側で転送／未転送画像を管理できる。また、デジタルカメラがクレードルに装着されるとデジタルカメラ１００に未転送画像があるか否かを報知することができる。また、所望の未転送画像のみを画像転送機能のみのクレードルを介してもパソコンに転送することができる。
【０１５５】
図１９は、デジタルカメラを充電機能及び画像転送機能を備えたクレードルに装着した場合のデジタルカメラの未転送画像管理動作を示すフローチャートであり、先ず、クレードルからデジタルカメラ１００の電源部９０へ充電電源供給が開始されると電源部９０から制御部２０に充電開始信号が送出されるので、制御部２０は充電開始信号を受け取ると（ステップＺ１）、図１８のステップＹ２〜ステップＹ８と同様の動作でデジタルカメラ１００本体側で転送／未転送画像を管理し、デジタルカメラ１００に未転送画像があるか否かを報知し、所望の未転送画像のみを画像転送機能のみのクレードルを介してパソコンに転送する（ステップＺ２）。
【０１５６】
図２０は、デジタルカメラをＵＳＢケーブルに装着した場合のデジタルカメラの未転送画像管理動作を示すフローチャートであり、先ず、デジタルカメラ１００がパソコンにＵＳＢケーブル接続されると、入出力インターフェイス１５から制御部２０にＵＳＢケーブル接続開始信号が送出されるので、制御部２０はＵＳＢケーブル接続開始信号を受け取ると（ステップＫ１）、図１８のステップＹ２〜ステップＹ８と同様の動作でデジタルカメラ１００本体側で転送／未転送画像を管理し、デジタルカメラ１００に未転送画像があるか否かを報知し、所望の未転送画像のみをＵＳＢケーブルを介してパソコンに転送する（ステップＫ２）。
【０１５７】
（実施形態４）  
上記実施形態１〜実施形態３ではデジタルカメラの未転送画像の報知方法について説明したが、未転送画像はデジタルカメラのものに限定されない。例えば、カメラ付き携帯電話機で撮影された画像についても本発明に未転送画像報知方法を適用できる。
【０１５８】
図２１は、カメラ付き携帯電話機をクレードルに装着する場合の未転送画像報知方法の説明図である。
【０１５９】
カメラ付き携帯電話機５００をクレードル４００に装着すると、実施形態１のフローチャート（図７）に示したと同様の動作により、携帯電話機から画像情報がクレードル４００に取り込まれ、クレードル４００のメモリに記憶され、更に、未転送画像情報が抽出され、液晶表示部８に図１１に示したような転送／未転送画像情報（又は、未転送画像情報のみ）が携帯電話機の液晶表示部に一覧表示される。
【０１６０】
また、実施形態２のクレードル３００のようにクレードル４００に液晶表示部を設けた場合は、実施形態１のフローチャート（図１６）に示したと同様の動作により、携帯電話機から画像情報がクレードル４００に取り込まれ、クレードル４００のメモリに記憶され、更に、未転送画像情報が抽出され、液晶表示部に転送／未転送画像情報（又は、未転送画像情報のみ）が一覧表示される。
【０１６１】
また、実施形態３のフローチャート（図１８）に示したと同様の動作により、カメラ付き携帯電話機５００がクレードルに装着されると、携帯電話機に記憶されている転送画像情報と、記録画像の記録画像情報を比較して未転送画像情報を携帯電話機の液晶表示部に表示できる。
【０１６２】
また、実施形態３のフローチャート（図１９）に示したと同様の動作により、クレードル４００を用いてカメラ付き携帯電話機５００の充電を行う際に、携帯電話機に記憶されている転送画像情報と、記録画像の記録画像情報を比較して未転送画像情報を携帯電話機の液晶表示部に表示できる。
【０１６３】
また、実施形態３のフローチャート（図２０）に示したと同様の動作により、カメラ付き携帯電話機５００とパソコン２００がＵＳＢ接続されると、携帯電話機に記憶されている転送画像情報と、記録画像の記録画像情報を比較して未転送画像情報を携帯電話機の液晶表示部に表示できる。
【０１６４】
最近のカメラ付き携帯電話は１００万画素以上の画素数の大きい画像を撮影することができるが、一般にこういう大きな画像は電話通信による画像添付メール送信などはできない。パソコンとケーブルで接続するか、メモリカードに保存するか、本発明のようにクレードルを経由してパソコンに画像を転送することになるので、本発明を適用して好適である。
【０１６５】
以上、本発明の幾つかの実施例について説明したが本発明は上記各実施例に限定されるものではなく、種々の変形実施が可能であることはいうまでもない。例えば電子カメラや撮像装置という用語は、カメラ付き携帯電話や撮像部を有する情報機器などにも適用でき、更に、静止画カメラに限らず動画カメラにも適用し得るものである。動画カメラにおいて静止画の転送に適用できることはもちろん、動画ファイルのファイル名やファイル情報を上記各実施の態様に置き換えて適用することができる。
【図面の簡単な説明】
【０１６６】
【図１】クレードルの一実施例の正面側外観図である。
【図２】クレードルの回路構成の一実施例を示す図である。
【図３】デジタルカメラを装着した未転送画像報知システムの説明図である。
【図４】未転送画像報知システムによる画像転送及び未転送画像報知方法を示すフローチャートである。
【図５】クレードルに装着可能なデジタルカメラの一実施例の外観を示す図である。
【図６】図５に示したデジタルカメラの内部構成例を示すブロック図である。
【図７】クレードルを介しての画像転送動作時のクレードル及びデジタルカメラの動作例を示すフローチャートである。
【図８】パソコンがクレードルに装着されたときクレードル側で起動される動作プログラムによるパソコンの動作例を示すフローチャートである。
【図９】未転送画像報知メッセージ及び未転送画像選択画面の一実施例を示す図である。
【図１０】クレードルの一実施例の正面側外観図である。
【図１１】クレードルの液晶表示部に表示される転送／未転送画像情報の一実施例を示す図である。
【図１２】クレードルの回路構成の一実施例を示す図である。
【図１３】クレードル内の画像情報管理データの一実施例の構造を示す図である。
【図１４】デジタルカメラを装着した未転送画像報知システムの説明図である。
【図１５】未転送画像報知システムによる画像転送及び未転送画像報知方法を示すフローチャートである。
【図１６】図１０のクレードルを介しての画像転送動作時のクレードル及びデジタルカメラの動作例を示すフローチャートである。
【図１７】デジタルカメラで転送／未転送画像を管理する場合にデジタルカメラ側に備えられる転送／未転送画像管理テーブルの一実施例である。
【図１８】デジタルカメラを画像転送機能のみを備えたクレードルに装着した場合のデジタルカメラの未転送画像管理動作を示すフローチャートである。
【図１９】デジタルカメラを充電機能及び画像転送機能を備えたクレードルに装着した場合のデジタルカメラの未転送画像管理動作を示すフローチャートである。
【図２０】デジタルカメラをＵＳＢケーブルに装着した場合のデジタルカメラの未転送画像管理動作を示すフローチャートである。
【図２１】カメラ付き携帯電話機をクレードルに装着する場合の未転送画像報知方法の説明図である。
【図２２】デジタルカメラ内の画像データのパソコンへの転送履歴データの保存領域の説明図である。
【符号の説明】
【０１６７】
１、３００  クレードル
１Ａ  装着部
２  制御部（データ転送手段、未転送画像抽出手段）
３  カメラ側入出力部（データ転送手段、画像情報取得手段、未転送画像情報送信手段）
４  装着検出部（装着検出手段）
５  パソコン側入出力部（データ転送手段）
７  メモリ
８  報知部、液晶表示部（報知手段）
８−１、８−２  ＬＥＤ（報知手段）
１００  デジタルカメラ（撮像装置）
２００  パソコン（外部画像記録装置）
【図１】
2005051682.tif 000003
【図２】
2005051682.tif 000004
【図３】
2005051682.tif 000005
【図４】
2005051682.tif 000006
【図５】
2005051682.tif 000007
【図６】
2005051682.tif 000008
【図７】
2005051682.tif 000009
【図８】
2005051682.tif 000010
【図９】
2005051682.tif 000011
【図１０】
2005051682.tif 000012
【図１１】
2005051682.tif 000013
【図１２】
2005051682.tif 000014
【図１３】
2005051682.tif 000015
【図１４】
2005051682.tif 000016
【図１５】
2005051682.tif 000017
【図１６】
2005051682.tif 000018
【図１７】
2005051682.tif 000019
【図１８】
2005051682.tif 000020
【図１９】
2005051682.tif 000021
【図２０】
2005051682.tif 000022
【図２１】
2005051682.tif 000023
【図２２】
2005051682.tif 000024